(57)【要約】      （修正有）【課題】化粧品に高級感を与え、かつ衝撃に強くする化粧料容器を提供する。【解決手段】本考案に係る化粧料容器１は、内側に化粧料５の収容空間２３を形成する容器本体２と、容器本体２を閉塞する蓋体３と、容器本体２の収容空間２３に配置され、化粧料５を載置するための内部トレイ４とを備えており、容器本体２および内部トレイ４は略有底円筒形状に形成されているとともに、蓋体３は略有天円筒形状に形成されており、内部トレイ４は、トレイ下壁４１とトレイ下壁４１の周縁から上方に連設するトレイ周壁４２とからなり、少なくともトレイ上方部４２ａの外径が容器本体２の内径と同程度に形成されているとともに、トレイ下壁４１からトレイ周壁４２の上端までの高さが容器本体２の高さと同程度に形成されている。【選択図】図１
0003202316.tif 000002
【実用新案登録請求の範囲】
【請求項１】
内側に化粧料の収容空間を形成する容器本体と、
前記容器本体を閉塞する蓋体と、
前記容器本体の前記収容空間に配置され、化粧料を載置するための内部トレイとを備える化粧料容器。
【請求項２】
前記容器本体および前記内部トレイは略有底円筒形状に形成されているとともに、前記蓋体は略有天円筒形状に形成されており、前記内部トレイは、トレイ下壁と前記トレイ下壁の周縁から上方に連設するトレイ周壁とからなり、少なくともトレイ上方部の外径が容器本体の内径と同程度に形成されているとともに、前記トレイ下壁から前記トレイ周壁の上端までの高さが前記容器本体の高さと同程度に形成されている請求項１に記載の化粧料容器。
【請求項３】
前記トレイ下壁は、一部が上げ底状に形成されている請求項２に記載の化粧料容器。
【請求項４】
前記トレイ周壁には、内側に向かって段差が形成されており、前記段差は、前記トレイ下壁の上部に化粧料が充填された中皿を載置した際、前記段差が前記中皿の上端よりも上方に位置するように形成されている請求項２または３に記載の化粧料容器。
【考案の詳細な説明】
【技術分野】
【０００１】
本考案は、化粧料が収容される化粧料容器に関する。
【背景技術】
【０００２】
従来より、ファンデーションやアイシャドウといった粉状または練り状の化粧料を収容する容器は、特開２０１２−１１５４３８号公報（特許文献１）のように、合成樹脂などを射出成型して製造されたものが一般的である。
【０００３】
一方、近年、化粧料を収容する容器として、アルミ製容器の人気が高まっている。そして、それらのアルミ製容器を用いた化粧品は、化粧料を直にアルミ製容器に充填していたり、化粧料が充填された中皿を容器内にそのまま載置したりしているものが多かった。
【先行技術文献】
【特許文献】
【０００４】
【特許文献１】特開２０１２−１１５４３８号公報
【考案の概要】
【考案が解決しようとする課題】
【０００５】
しかしながら、上述したような化粧品は、蓋を開けた際、アルミ素材が剥き出しで見えたり、容器と中皿との間に隙間が見えたりすることで、見栄えが悪く、高級感に乏しかった。また、容器の大きさに対して、化粧料の量が少なく見えることも高級感に乏しい要因となっていた。さらに、容器を落下させた際などに、衝撃によって化粧料が割れやすいといった問題点もあった。
【０００６】
本考案は、このような問題点を解決するためになされたものであって、化粧品に高級感を与え、かつ衝撃に強くする化粧料容器を提供することを目的としている。
【課題を解決するための手段】
【０００７】
本考案に係る化粧料容器は、内側に化粧料の収容空間を形成する容器本体と、容器本体を閉塞する蓋体と、容器本体の収容空間に配置され、化粧料を載置するための内部トレイとを備える。
【０００８】
また、本考案の一態様として、容器本体および内部トレイは略有底円筒形状に形成されているとともに、蓋体は略有天円筒形状に形成されており、内部トレイは、トレイ下壁とトレイ下壁の周縁から上方に連設するトレイ周壁とからなり、少なくともトレイ上方部の外径が容器本体の内径と同程度に形成されているとともに、トレイ下壁からトレイ周壁の上端までの高さが容器本体の高さと同程度に形成されていることが好ましい。
【０００９】
さらに、本考案の一態様として、トレイ下壁は、一部が上げ底状に形成されていることが好ましい。
【００１０】
また、本考案の一態様として、トレイ周壁には、内側に向かって段差が形成されており、段差は、トレイ下壁の上部に化粧料が充填された中皿を載置した際、段差が中皿の上端よりも上方に位置するように形成されていることが好ましい。
【考案の効果】
【００１１】
本考案の化粧料容器によれば、化粧品に高級感を与え、かつ衝撃に強くすることができる。
【図面の簡単な説明】
【００１２】
【図１】本考案にかかる化粧料容器の一実施形態および収容される化粧料を充填した中皿を示す分解斜視図である。
【図２】本実施形態における容器本体に内部トレイを配置した斜視図である。
【図３】本実施形態における容器本体に内部トレイを配置した上面図である。
【図４】本実施形態における容器本体に内部トレイを配置し、化粧料を充填した中皿を載置した上面図である。
【図５】本実施形態における内部トレイの斜視図である。
【図６】（ａ）図４のＡ−Ａ’断面図と、（ｂ）（ａ）のＢ部拡大図である。
【図７】図４に保護シートを加えた斜視図である。
【図８】本実施形態における内部トレイの溝状上げ底部の変形例を示す斜視図である。
【考案を実施するための形態】
【００１３】
以下、本考案に係る化粧料容器の一実施形態について図面を用いて説明する。
【００１４】
本実施形態に係る化粧料容器１は、ファンデーションやアイシャドウなどの化粧料５を収容するための容器であって、図１に示すように、主として、化粧料５の収容空間２３を形成する容器本体２と、容器本体２を閉塞する蓋体３と、容器本体２の収容空間２３に配置され、化粧料５を載置するための内部トレイ４とから構成されている。以下、本実施形態に係る構成について詳細に説明する。
【００１５】
なお、本考案に係る化粧料容器１は、容器本体２、蓋体３および内部トレイ４のみから構成されるものであるが、本実施形態では説明の都合上、化粧料容器１に加え、化粧料容器１内に収容される化粧料５、中皿６および保護シート７についても併せて説明をする。
【００１６】
また、本明細書中、化粧品とは、化粧料容器１内に化粧料５、中皿６、保護シート７および化粧料塗布具等（図示しない）が収容された消費者に販売される最終形態の商品の概念をいうものとする。
【００１７】
容器本体２は、図１に示すように、略有底円筒形状をなしており、底をなす容器下壁２１とこの容器下壁２１の周縁から上方に連設する容器周壁２２とから構成される。そして、容器本体２の内側には、容器下壁２１と容器周壁２２とで囲まれることによって、化粧料５を収容する収容空間２３が形成されている。また、容器周壁２２の上部には、蓋体３と螺着するための容器側ねじ部２４が形成されている。
【００１８】
蓋体３は、図１に示すように、略有天円筒形状をなしており、蓋上壁３１とこの蓋上壁３１の周縁から下方に連設する蓋周壁３２とから構成される。そして、蓋周壁３２には、容器本体２の容器側ねじ部２４と螺着するための蓋側ねじ部３３が形成されている。また、蓋上壁３１の内面側には、気密性を向上させるためにパッキン（図示しない）をはめ込んでもよい。
【００１９】
なお、容器本体２および蓋体３は、内部に収容される化粧料５が温度や湿度等の外的環境変化の影響を受けにくく、かつ適度な剛性を有するアルミニウム製であることが好ましいが、素材はこれに限定されるものではなく、ブリキ等の他の金属であってもよい。
【００２０】
つぎに、内部トレイ４は、図１に示すように、略有底円筒形状をなしており、底をなすトレイ下壁４１とこのトレイ下壁４１の周縁から上方に連設するトレイ周壁４２とから構成される。ここで、図２に示すように、トレイ周壁４２の上方部であるトレイ上方部４２ａの外径は容器本体２の内径と同程度の大きさに形成されている。また、トレイ下壁４１からトレイ周壁４２の上端までの高さが、容器下壁２１から容器周壁２２の上端までの高さ、つまり容器本体２の高さと同程度に形成されている。このように、内部トレイ４によって容器本体２の内面が覆われることにより、図２から図４に示すように、化粧料容器１の蓋体３を開けた際、容器本体２の素材が剥き出して見えないので見栄えが良く、高級感を出すことができる。また、内部トレイ４がクッションになって、収容される化粧料５を落下等の衝撃から保護することができる。
【００２１】
なお、本実施形態では、内部トレイ４は、０．５ｍｍ厚のポリエチレンテレフタレートを真空成型により製造したものを使用しているが、これに限定されない。例えば、強度および製造コストの面から、内部トレイ４は、０．３ｍｍから０．８ｍｍ程度の厚みを有していればよく、素材はポリプロピレン、ポリスチレン、ＡＢＳなど他の材質を適宜選択することができる。
【００２２】
また、内部トレイ４に載置される中皿６は、図１に示すように、略有底円筒形状をなしており、その内側にファンデーションやアイシャドウといった粉状または練り状の化粧料５を充填するためのものである。この中皿６は、図４に示すように、内部トレイ４に載置された際、トレイ周壁４２の下方部であるトレイ下方部４２ｂとの間に隙間ができないように、その外径がトレイ下方部４２ｂの内径と同程度の大きさに形成されている。
【００２３】
また、内部トレイ４のトレイ下壁４１は、図２のように内部トレイ４が容器本体２の収容空間２３に配置された際、図５および図６（ａ）に示すように、容器本体２における容器下壁２１との間に衝撃緩和空間８を有するように一部が上げ底状に形成されている。本実施形態では、図５に示すように、トレイ下壁４１の中央に円形状の円形状上げ底部４３が形成されるととともに、その円形状上げ底部４３からトレイ周壁４２に向かって放射状に形成された３つの溝状上げ底部４４ａ，４４ｂ，４４ｃが形成されている。このように、衝撃緩和空間８を形成することで、内部トレイ４に載置される中皿６内の化粧料５を落下等の衝撃からさらに保護することができる。また、トレイ下壁４１を上げ底状に形成することにより、容器本体２における化粧料５の位置が持ち上げられることになり、容器本体２の大きさに対する化粧料５が十分な量に見えるという効果も奏する。
【００２４】
さらに、内部トレイ４のトレイ周壁４２には、図１および図６（ａ），（ｂ）に示すように、内側に向かって段差４５が形成されている。具体的には、トレイ下方部４２ｂの直径がトレイ上方部４２ａの直径よりも小さくなっており、上述したようにトレイ上方部４２ａの外径は容器本体２の内径と同程度の大きさであるのに対し、トレイ下方部４２ｂの内径は中皿６の外径と同程度の大きさに形成されている。これにより、図４および図６（ａ）に示すように、化粧料５が充填された中皿６を内部トレイ４に載置した際にも、トレイ周壁４２と中皿６との間に隙間ができず見栄えが良い。
【００２５】
また、この段差４５は、図６（ｂ）に示すように、内部トレイ４に化粧料５が充填された中皿６を載置した際、段差４５が中皿６の上端よりも上方に位置するように形成されている。なお、本実施形態では、段差４５と中皿６の上端との距離が１．５ｍｍ程度であることが好ましい。ここで、図７に示すように、中皿６の上側から化粧料５を保護するための保護シート７が載置される。この保護シート７は、内部トレイ４における段差４５上に載置されるように、その直径はトレイ上方部４２ａの内径よりも小さく、トレイ下方部４２ｂの内径よりも大きく形成されている。これにより、段差４５上に保護シート７を載置した際、保護シート７が化粧料５に直に接しないため、保護シート７を美しく保つとともに、化粧料５を保護することができる。
【００２６】
以上のように、本考案によれば、以下のような作用効果を奏することができる。
１．内部トレイ４によって、容器本体２の内面が覆われることにより、化粧料容器１の蓋体３を開けた際、容器本体２の素材が剥き出して見えないので見栄えが良く、高級感を出すことができる。また内部トレイ４がクッションになって、収容される化粧料５を落下等の衝撃から保護することができる。
２．衝撃緩和空間８を形成することで、内部トレイ４に載置される中皿６内の化粧料５を落下等の衝撃からさらに保護することができる。
３．トレイ下壁４１を上げ底状に形成することにより、容器本体２における化粧料５の位置が持ち上げられ、容器本体２の大きさに対する化粧料５が十分な量に見える。
４．化粧料５が充填された中皿６を内部トレイ４に載置した際、トレイ周壁４２と中皿６との間に隙間ができず、見栄えが良い。
５．トレイ周壁４２に中皿６の上端よりも上方に位置するように段差４５を設けたことにより、段差４５上に化粧料５を保護するための保護シート７を載置した際、保護シート７が化粧料５に直に接しないため、保護シート７を美しく保つとともに、化粧料５を保護することができる。
【００２７】
なお、本考案に係る化粧料容器は、前述した実施形態に限定されるものではなく、適宜変更することができる。
【００２８】
例えば、本実施形態では、図５に示すように、トレイ下壁４１に円形状上げ底部４３および放射状の溝状上げ底部４４ａ，４４ｂ，４４ｃを形成することにより、衝撃緩和空間８を形成したが、これに限定されず、例えば、図８に示すように、円形状上げ底部４３と、そこからトレイ周壁４２に向かって直線状に形成された２つの溝状上げ底部４４ｄ，４４ｅを有するように構成してもよく、内部トレイ４を容器本体２に固定しつつ、化粧料５を衝撃に強くするための衝撃緩和空間８を形成するものであれば、上げ底部の形状は適宜変更することができる。
【００２９】
また、本実施形態において、化粧料５は中皿６に充填されて、内部トレイ４に載置される構成を採用しているが、中皿６を使用せず、化粧料５を直接内部トレイ４に充填する構成にしてもよい。その場合、トレイ周壁４２に設けられる段差４５よりも下方に化粧料５の上面がなるように、化粧料５を充填することで、本実施形態と同様の効果を奏することができる。
【符号の説明】
【００３０】
１    化粧料容器
２    容器本体
２１  容器下壁
２２  容器周壁
２３  収容空間
２４  容器側ねじ部
３    蓋体
３１  蓋上壁
３２  蓋周壁
３３  蓋側ねじ部
４    内部トレイ
４１  トレイ下壁
４２  トレイ周壁
４２ａ  トレイ上方部
４２ｂ  トレイ下方部
４３  円形状上げ底部
４４ａ，４４ｂ，４４ｃ，４４ｄ，４４ｅ  溝状上げ底部
４５  段差
５    化粧料
６    中皿
７    保護シート
８    衝撃緩和空間
【図１】
0003202316.tif 000003
【図２】
0003202316.tif 000004
【図３】
0003202316.tif 000005
【図４】
0003202316.tif 000006
【図５】
0003202316.tif 000007
【図６】
0003202316.tif 000008
【図７】
0003202316.tif 000009
【図８】
0003202316.tif 000010